(57)【要約】【課題】内軸を上下調整する操作が簡単であり、外筒の強度が低下することがなく、長期の使用に耐えられること。【解決手段】本発明の物干竿等の支持装置は、支持具１に、支柱２の上端を取り付け、支柱２の下端には掛具５を取り付けてある。支柱２は、上部の外筒３と下部の内軸４とから成り、外筒３の内周には、内方向に突出する突条８が設けられ、外周には、突条８に対応する位置に隠し溝９が幅方向の一側に偏って設けられている。隠し溝９には、間隔をおいて複数の縦長方形状の係止孔１１・・・１１を設けてある。突条８には、係止孔１１・・・１１が設けられていない幅方向の他側内周面を上下方向に伸びる摺動面１０としてある。内軸４は、一段低くなっている溝状の制限溝７を設け、その反対側に逃げ溝１９を設けてある。内軸４の上部に固定する保持具６には、板状の係合具１２を、軸１３で回動可能に、かつばね１４で外方に付勢して、取り付けてある。【選択図】図１
2014090735.tif 000002
【特許請求の範囲】
【請求項１】
軒天等の被取付体に固定される支持具に支柱を取り付け、支柱の下部に物干竿等を掛ける掛具を設けてあり、支柱は、外筒と内軸を有し、外筒に対して内軸を上下移動かつ回動可能に設けて、内軸に取り付けた掛具の高さが調整可能である物干竿等の支持装置において、内軸においては、外周に一段低くなって上下方向に伸びる溝状の制限溝を設けると共に、その上部には、制限溝の略中央から外方に付勢された係合具を突出・没入可能に設けて成り、外筒においては、内周に上下方向に伸びて突出し制限溝より小さい幅寸法の突条を設け、突条には、幅方向の一側に偏った位置に内外に貫通する係止孔を上下方向に間隔をおいて複数設け、係止孔が設けられていない幅方向の他側内周面を摺動面とし、突条が制限溝内に位置するように内軸を外筒に挿入して組み立て、係合具が付勢されて係止孔のいずれかに選択的に係合し得るように成し、内軸は、突条が制限溝の中で相対的に回動できる範囲内で、外筒に対して回動可能であって、制限溝の一端縁が突条の一端縁に当接した状態では、係合具は、係止孔が上下方向に設けられている位置で上下に移動できるよう案内され、係合具が係止孔に係合している状態から上方に移動すると、係合具は係止孔から外れて内軸は回動可能となり、内軸を回動して、制限溝の他端縁を突条の他端縁に当接させると、係合具は、摺動面に接触した状態で上下に移動できるよう案内される構成としたことを特徴とする物干竿等の支持装置。
【発明の詳細な説明】
【技術分野】
【０００１】
本発明は、軒天等の被取付体に取り付けて物干竿等を支持する支持装置であって、支柱の内軸に取り付けた掛具の高さを調整可能に構成した物干竿等の支持装置に関するものである。
【背景技術】
【０００２】
従来より、外筒に対して内軸を上下移動可能に設けられて、内軸に取り付けた掛具の高さが調整可能である物干竿等の支持装置は種々の発明が提案されており、例えば、特開２００５−２７９１９１号発明（従来例）においては、内ポール（内軸）に設けた前後方向に移動可能な突出片（係止ピン）を設けて、外ポール（外筒）に設けた複数の係合孔（係止孔）に選択的に係合させ得るように成し、内ポール（内軸）に取り付けた竿掛けアーム（掛具）の高さを調整可能としたものであり、内ポール（内軸）を持ち上げて、突出片（係止ピン）を外ポール（外筒）の係合孔（係止孔）から抜脱し、回動してから上下に移動することによって、竿掛けアーム（掛具）の高さを調整するものである。
【先行技術文献】
【特許文献】
【０００３】
【特許文献１】特開２００５−２７９１９１号公報
【発明の概要】
【発明が解決しようとする課題】
【０００４】
上記従来例においては、内ポール（内軸）を持ち上げて回動する際に、その回動する角度が規制されていないため、次の係合孔（係止孔）に係合させる操作が極めて難しいという問題や、上下に移動させる時に、同じ経路を摺動するとそこだけが磨り減って外ポール（外筒）の強度が低下してしまうという問題があり、本発明は、これらの問題を解決することを課題としている。
【課題を解決するための手段】
【０００５】
本発明は、上記の課題を解決するためのもので、軒天等の被取付体に固定される支持具に支柱を取り付け、支柱の下部に物干竿等を掛ける掛具を設けてあり、支柱は、外筒と内軸を有し、外筒に対して内軸を上下移動かつ回動可能に設けて、内軸に取り付けた掛具の高さが調整可能である物干竿等の支持装置において、内軸においては、外周に一段低くなって上下方向に伸びる溝状の制限溝を設けると共に、その上部には、制限溝の略中央から外方に付勢された係合具を突出・没入可能に設けて成り、外筒においては、内周に上下方向に伸びて突出し制限溝より小さい幅寸法の突条を設け、突条には、幅方向の一側に偏った位置に内外に貫通する係止孔を上下方向に間隔をおいて複数設け、係止孔が設けられていない幅方向の他側内周面を摺動面とし、突条が制限溝内に位置するように内軸を外筒に挿入して組み立て、係合具が付勢されて係止孔のいずれかに選択的に係合し得るように成し、内軸は、突条が制限溝の中で相対的に回動できる範囲内で、外筒に対して回動可能であって、制限溝の一端縁が突条の一端縁に当接した状態では、係合具は、係止孔が上下方向に設けられている位置で上下に移動できるよう案内され、係合具が係止孔に係合している状態から上方に移動すると、係合具は係止孔から外れて内軸は回動可能となり、内軸を回動して、制限溝の他端縁を突条の他端縁に当接させると、係合具は、摺動面に接触した状態で上下に移動できるよう案内される構成としたことを特徴とする物干竿等の支持装置である。
【発明の効果】
【０００６】
本発明によれば、突条は制限溝の範囲内で相対的に回動可能であって、制限溝の一端縁が突条の一端縁に当接した状態では、係合具は、係止孔が上下方向に設けられている位置で上下に移動できるよう案内され、制限溝の他端縁が突条の他端縁に当接した状態では、係合具は、摺動面に接触した状態で上下に移動できるよう案内される構成としたので、係合具を係止孔に係合させる操作が容易で、内軸を簡単に上下調整することができるという効果と、内軸を上下に摺動する際には、係合具は肉厚が厚くなっている突条の摺動面を上下に摺動するようになっているので、その摺動面が磨り減ったとしても外筒の強度が大きく低下することがなく、長期の使用に耐えられるという効果がある。
【図面の簡単な説明】
【０００７】
【図１】全体斜視図である。
【図２】一部を断面にした要部の拡大斜視図である。
【図３】要部の縦断面図である。
【図４】図３の状態から、内軸を上方に移動させた状態の縦断面図である。
【図５】図３のＡ−Ａ線断面図である。
【図６】図５の状態から、内軸を上方に移動させた状態の断面図である。
【図７】図６の状態から、内軸を回動させた状態の断面図である。
【図８】外筒と内軸の断面図である。
【図９】正面側から見た保持具及び内軸の上部の斜視図である。
【図１０】裏面側から見た保持具及び内軸の上部の斜視図である。
【図１１】保持具の分解斜視図である。
【図１２】図３のＢ−Ｂ線断面図である。
【図１３】図１２の状態から、内軸を回動させた状態の断面図である。
【図１４】内軸を下方に移動させていく過程を示す縦断面図である。
【図１５】内軸を下方に移動させていく過程を示す縦断面図で、図１４よりさらに下方へ移動させ、内軸が下方へ移動しつつ回動させられ始めている状態の縦断面図である。
【図１６】内軸を下方に移動させていく過程を示す縦断面図で、図１５よりさらに下方へ移動させた状態で、内軸が下方へ移動しつつ回動させられて、係合具が最下方の係止孔に係合した状態（ここには図示されていない）の縦断面図である。
【実施例１】
【０００８】
本実施例の物干竿等の支持装置は、軒天に取り付けられる支持具１に、支柱２の上端を取り付け、支柱２の下端には、物干竿を掛ける複数の竿受部１８・・・１８を設けた掛具５を取り付けてある。
【０００９】
支柱２は、上部の外筒３と下部の内軸４とから成り、外筒３は、横断面形状が略円形パイプ状で、内周には、内方向に突出する断面略台形状の突条８が上下方向に伸びて設けられ、外周には、突条８に対応する位置に凹溝状の隠し溝９が幅方向の一側に偏って上下方向に伸びて設けられている。さらに、隠し溝９には、間隔をおいて複数の縦長方形状の係止孔１１・・・１１を内外に貫通するように設けてある。そして、突条８には、係止孔１１・・・１１が設けられていない幅方向の他側内周面を上下方向に伸びる摺動面１０としてある。また、外筒３の下部で、突条８と反対の内周面には、内方に突出する略円形の突起１７を設けてある。
【００１０】
内軸４は、横断面形状が略円形パイプ状で、外周におよそ６０度に亘って一段低くなって上下方向に伸びる溝状の制限溝７を設け、さらに、その反対側におよそ４０度に亘って一段低くなって上下方向に伸びる溝状の逃げ溝１９を設けてある。また、内軸４には、制限溝７の幅方向の中央に、上端部から縦長に切り欠かれた切欠部２７を、逃げ溝１９の幅方向ほぼいっぱいに、上端部から縦長に切り欠かれた切欠部２８を設けてある。そして、内軸４の上部には、保持具６の一部を内部に挿入して固定してある。
【００１１】
保持具６は、略円柱状の胴部２１の上部に一段直径が大きい略円柱状の頭部２０を設けて成るもので、胴部２１には、縦長の収納溝２２を設け、その裏側に上からの垂直線に傾斜線が続いている一段高く突出している案内部１６を設けてある。収納溝２２には、下端部に係合部２４を設けてある板状の係合具１２を、軸１３で回動可能に、かつばね１４で前方に付勢して、取り付けてある。また、頭部２０には、内軸４と同様に制限溝及び逃げ溝を設けてあり、さらに横長の収納凹部２３を設けて、そこに戻し具１５を収納するようになっている。戻し具１５は、略Ｃ字状の合成樹脂製のばねでその両端には、外方に突出している当接突起２５・２６を設けてあり、一方の当接突起２５を収納凹部２３の縁に当接させてある。
【００１２】
保持具６は、戻し具１５を収納凹部２３に収納し、ばね１４を入れてから係合具１２を収納溝２２に収納して軸１３で支持させ、内軸４の上端部から、係合具１２を切欠部２７に、案内部１６を切欠部２８に対応させて挿入し、保持具６を内軸４の上部にねじ止めして取り付ける。この取付状態においては、保持具６の頭部２０が内軸４の上部から突出し、案内部１６が切欠部２８から露出し、係合具１２が切欠部２７から突出している状態となっている。
【００１３】
突条８が制限溝７内に位置するように、内軸４の下端を外筒３の上端から挿入し、上端部の係合具１２を押し込んで引っ込ませて、外筒３の突条８に接触させるようにすると共に、戻し具１５の他方の当接突起２６を突条８の突出している縁に当接させて、内軸４とその上端の保持具６を外筒３の中に入れ込む。そして、外筒３の上端部に支持具１を取り付け、内軸４の下端部に掛具５を取り付ければ組立は完了する。
【００１４】
図１及び図２の状態、すなわち、係合具１２の係合部２４が一番上の係止孔１１の下端縁に係合している状態（図１、図２、図３及び図５参照）から、掛具５を持って内軸４を上方へ移動させると、係合具１２は、係止孔１１の上端縁に当接してその斜面により、ばね１４に抗して内方に回動し、係止孔１１から外れる（図４及び図６参照）。なお、係合具１２の係合部２４が係止孔１１の下端縁に係合している状態では、係合具１２は隠し溝９から、突出することがないので（図５参照）、使用中に誤って係合具１２の先端を押して、その係合を外してしまう危険が少ない。
【００１５】
その状態から、内軸４を左に回動すると、係合具１２の先端が突条８の摺動面１０に接触する状態となり（図７参照）、その垂直線上には係止孔１１・・・１１がないので、上下に移動可能な状態となるので、適当な位置で内軸４を右に回動すると、係合具１２の係合部２４がその位置にある係止孔１１と係合し、掛具５の高さ位置を変更することができる。内軸４を上下に移動させる時に、外方に付勢されている係合具１２は、主に、突条８の摺動面１０に接触している状態であるので、摺動面１０が磨り減ったとしても、摺動面１０は肉厚が厚く外筒３の強度が大きく低下することを回避することができる。また、内軸４を左に回動すると、戻し具１５が変形し、その復元力で内軸４を戻そうとする力が働き、係合具１２の先端が突条８の摺動面１０に接触した状態のまま、内軸４に取り付けた掛具５が落下するのを防止するようになっている。
【００１６】
なお、係合具１２をより上の係止孔１１に係合させる場合は、単に掛具５を持って内軸４を上方へ移動させるだけで、係合具１２が引っ込んで次の係止孔１１の位置に到達すると、ばね１４の力でその係止孔１１に係合することになる。
【００１７】
また、係合具１２の先端が突条８の摺動面１０に接触している状態で、内軸４を下方に摺動していくと（図１４参照）、保持具６の案内部１６が外筒３の突起１７に接触し（図１５参照）、案内されて内軸４は回動し、さらに内軸４を下方に摺動していくと（図１６参照）、係合具１２が最下部の係止孔１１に係合するようになっており、内軸４が外筒３から抜けないようになっている。
【符号の説明】
【００１８】
１    支持具
２    支柱
３    外筒
４    内軸
５    掛具
７    制限溝
８    突条
１０    摺動面
１１    係止孔
１２    係合具
【図１】
2014090735.tif 000003
【図２】
2014090735.tif 000004
【図３】
2014090735.tif 000005
【図４】
2014090735.tif 000006
【図５】
2014090735.tif 000007
【図６】
2014090735.tif 000008
【図７】
2014090735.tif 000009
【図８】
2014090735.tif 000010
【図９】
2014090735.tif 000011
【図１０】
2014090735.tif 000012
【図１１】
2014090735.tif 000013
【図１２】
2014090735.tif 000014
【図１３】
2014090735.tif 000015
【図１４】
2014090735.tif 000016
【図１５】
2014090735.tif 000017
【図１６】
2014090735.tif 000018